(57)【要約】【課題】着用者の身体に対するフィット性に優れた使い捨て吸収性パッドの提供。【解決手段】吸収性パッドは、縦軸２１と、横軸２２と、縦軸２１の方向に並ぶ前部域２５ａおよび後部域２５ｂを有する吸収性繊維構造体２０からなり、横軸２２の方向に互いに離間して縦軸２１の方向へ延びる一対の第一および第二可撓軸が、前部域２５ａに独占的に位置している。【選択図】図１
2006149571.tif 000002
【特許請求の範囲】
【請求項１】
縦軸と、横軸と、体液を吸収する第一面と、前記第一面の反対側の第二面と、前記縦軸の方向に並ぶ前部域および後部域を有する吸収性繊維構造体からなり、前記横軸の方向に互いに離間して前記縦軸の方向へ延びる一対の第一および第二可撓軸が前記前部域に独占的に位置している吸収性パッド。
【請求項２】
前記第一および第二可撓軸がほぼ並行である請求項１記載の吸収性パッド。
【請求項３】
前記第一および第二可撓軸の離間寸法が１００ｍｍ以下である請求項１または２記載の吸収性パッド。
【請求項４】
第三可撓軸が、前記第一および第二可撓軸の間において前記縦軸の方向に延びていて、前記前部域に独占的に位置している請求項１〜３のいずれかに記載の吸収性パッド。
【請求項５】
前記第一，第二，第三可撓軸が貫通条孔である請求項１〜４のいずれかに記載の吸収性パッド。
【請求項６】
前記縦軸の方向における前記貫通条孔の長さ寸法が、前記縦軸の方向における前記吸収性繊維構造体の長さ寸法の１０〜６０％である請求項５記載の吸収性パッド。
【請求項７】
前記貫通条孔が、前記縦軸の方向に断続的に延びていて断続部を含んでいる請求項５または６に記載の吸収性パッド。
【請求項８】
前記縦軸の方向における前記断続部の長さ寸法が、前記縦軸の方向における前記貫通条孔の長さ寸法の１０〜５０％である請求項７記載の吸収性パッド。
【請求項９】
前記断続部における前記吸収性繊維構造体の厚さ寸法が、その他の部分における吸収性繊維構造体の厚さ寸法よりも小さい請求項７または８記載の吸収性パッド。
【請求項１０】
前記吸収性繊維構造体が複層構造である請求項１〜９のいずれかに記載の吸収性パッド。
【請求項１１】
前記第一面が透液性シートで形成されている請求項１〜１０のいずれかに記載の吸収性パッド。
【請求項１２】
前記第二面が疎水性を有する請求項１〜１１のいずれかに記載の吸収性パッド。
【請求項１３】
前記第二面が疎水性シートで形成されている請求項１〜１２のいずれかに記載の吸収性パッド。
【請求項１４】
前記吸収性繊維構造体が、前記第一面に位置する透液性シートと、前記第二面に位置する疎水性シートと、両シート間に介在する吸液性コアとからなる請求項１〜１３のいずれかに記載の吸収性パッド。
【発明の詳細な説明】
【技術分野】
【０００１】
この発明は、吸収性パッドに関し、さらに詳しくは、パッド着用者の身体に対するフィット性に優れた使い捨て吸収性パッドに関する。
【背景技術】
【０００２】
従来、この種の吸収性パッドは、周知であって、中央コア片とその両側に配設された一対の側コア片とから吸液性コアを構成したり（特許文献１参照）、前後方向に延びる条孔を吸収性パッドの前後方向と幅方向とに間欠的に配置して、前後方向に整列する条孔の端部と端部との間の断続域における吸液性コアの密度を他の部分における吸液性コアの密度よりも大きくしたり（特許文献２参照）することによって、横方向からの圧力を受けたときに吸液性コアが不適切に捩れたり偏在したりすることを防止した使い捨て吸収性パッドも、周知である。
【特許文献１】特許第２９０９８８２号公報
【特許文献２】特許第３２０８２８９号公報
【発明の開示】
【発明が解決しようとする課題】
【０００３】
しかしながら、特許文献１に開示された吸収性パッドは、幅方向から圧縮力が作用すると、側コア片の各々が幅方向内側に変位せしめられて中央コア片の下側に潜入するので、体液の幅方向両側への漏出を防止できるとしても、パッドが着用者の身体に密着することができないという問題がある。また、特許文献２に開示された吸収性パッドは、幅方向からの圧力を受けたときに、パッドがその幅全体でＵ字形に湾曲することがあり、必ずしも着用者の身体に密着しないという問題がある。
【０００４】
この発明は、上述のような課題に鑑みてなされたものであり、幅方向からの圧力を受けたときにも、吸液性コアが不適切に捩れることがなく、着用者の身体に対するフィット性に優れた吸収性パッドを提供することを目的とする。
【課題を解決するための手段】
【０００５】
上記課題を解決するためのこの発明に係る吸収性パッドは、縦軸と、横軸と、体液を吸収する第一面と、前記第一面の反対側の第二面と、前記縦軸の方向に並ぶ前部域および後部域を有する吸収性繊維構造体からなり、前記横軸の方向両側へ離間して前記縦軸の方向へ延びる一対の第一および第二可撓軸が前記前部域に独占的に位置していることを特徴とする。
【０００６】
このように、着用者の股間に挟まれる吸収性パッドの前部域に第一および第二可撓軸が独占的に位置していることにより、吸収性パッドは、横方向からの圧力が加えられたときに、前部域では、不適切に捩れることなく第一および第二可撓軸に沿って変形して着用者の身体にぴったりとフィットする一方、後部域では、前部域におけるほど変形せずにゆとりを残して着用者の身体を覆う。その結果、吸収性パッドは、前部域では体液の漏れを効果的に防止することができるとともに、後部域では便などの固形排泄物を着用者の身体に押し付けることなく収容することができる。
【０００７】
吸収性繊維構造体の厚さ寸法は、十分な量の体液を吸収することができ、なおかつ、吸収性パッドが着用者の股間に挟まれたときに着用者が不快感を覚えない程度であればよいが、３〜２５ｍｍであることが好ましい。
【０００８】
吸収性パッドが着用者の身体によりよくフィットするために、一対の第一および第二可撓軸はほぼ並行であることが好ましい。
【０００９】
第一および第二可撓軸の離間寸法は、着用者の股間幅に応じて適宜決定すればよいが、着用者の身体に対する吸収性パッドのフィット性を高め、着用時の装着感を良好にするためには、１００ｍｍ以下であることが好ましい。
【００１０】
特に、女性着用者の複雑な体形に対する吸収性パッドのフィット性を高めるためには、第三可撓軸が、第一および第二可撓軸の間において縦軸の方向に延びていて、前部域に独占的に位置していてもよい。
このとき、第三可撓軸は、縦軸の方向においては第一および第二可撓軸の両端よりも内側で、横軸の方向においては第一および第二可撓軸のほぼ中間に位置し、なおかつ、第一および第二可撓軸とほぼ並行であることが、着用者の身体に対する吸収性パッドのフィット性を高めるうえでより好ましい。
【００１１】
第一，第二および第三可撓軸は、吸収性パッドの他の部分よりも可撓性の高い別材料で構成された部分であってもよく、吸収性パッドの他の部分よりも高密度に構成された部分であってもよく、また、貫通条孔であってもよい。
第一，第二および第三可撓軸が貫通条孔である場合には、吸収性繊維構造体の表面積が大きくなって、吸収性パッドの体液吸収能力を向上させることができると同時に、貫通条孔が吸収性繊維構造体の間仕切りとなって、吸収性繊維構造体における繊維の偏在を防止することができる。
吸収性パッドの第一面および第二面からみた貫通条孔の形状は、特に限定されるものではなく、矩形状または長円形状など任意の形状を採用することができる。第一可撓軸としての貫通条孔，第二可撓軸としての貫通条孔および第三可撓軸としての貫通条孔は、同じ形状および大きさのものであってもよく、互いに異なる形状および大きさのものであってもよい。
【００１２】
縦軸の方向における貫通条孔の長さ寸法は、貫通条孔の位置が着用者の陰部の位置と一致し易いように、吸収性パッドの大きさに応じて適宜決定すればよいが、縦軸の方向における吸収性繊維構造体の長さ寸法の１０〜６０％であることが好ましく、２０〜４０％であることがより好ましい。貫通条孔の長さ寸法が吸収性繊維構造体の長さ寸法の１０％より小さいと、貫通条孔があることによって、体液が、貫通条孔に流れ込み、吸収性パッドの第一面側ばかりでなく第二面側においても吸収されるという効果を十分に得ることができない。貫通条孔の長さ寸法が吸収性繊維構造体の長さ寸法の６０％より大きいと、着用中に、一対の貫通条孔の横軸方向外側に位置する部分の吸収性繊維構造体が、一対の貫通条孔の横軸方向内側に位置する部分の吸収性繊維構造体の下側に入り込み易くなり、吸収性パッド着用者の身体に対するフィット性が低下することになりかねない。
【００１３】
横軸の方向における貫通条孔の幅寸法は、吸収性パッドの屈曲し易さを考慮しつつ、吸収性繊維構造体の厚さ寸法に応じて適宜決定すればよいが、前述のように３〜２５ｍｍの厚さ寸法を有する吸収性繊維構造体においては、貫通条孔の幅寸法が５〜３０ｍｍであることが好ましい。吸収性繊維構造体の厚み寸法が３〜２５ｍｍであって、かつ、貫通条孔の幅寸法が５〜３０ｍｍの範囲内にあると、吸収性パッドが横軸の方向からの圧力を受けたときに貫通条孔が潰れ難くなり、その結果、着用者の陰部に当接する部分が湿潤状態になり難く、着用者が不快感を覚えることを効果的に防止することができる。貫通条孔の幅寸法が５ｍｍより小さい場合には、吸収性パッドが屈曲したときに貫通条孔が潰れ易く、貫通条孔があることによって得られる効果、すなわち、体液が、貫通条孔に流れ込んで、吸収性パッドの第一面側ばかりでなく第二面側においても吸収されるという効果を充分に得ることができない。貫通条孔の幅寸法が３０ｍｍより大きい場合には、体液が吸収性パッドに素早く吸収されることが難しくなる。
【００１４】
貫通条孔は、縦軸の方向に連続的に延びていてもよいが、着用中に吸収性パッドが横方向からの圧力を受けたときに、幅全体でＵ字形に湾曲したり、過度に屈曲したりすることを確実に防止するためには、貫通条孔が、縦軸の方向に断続的に延びていて断続部を含んでいることが好ましい。貫通条孔が断続部を含んでいることによって、吸収性繊維構造体に吸収された体液は、断続部を介して貫通条孔の横方向両側へ伝わるので、吸収性繊維構造体全体を有効に利用することができる。
断続部における吸収性繊維構造体の密度は、その他の部分における吸収性繊維構造体の密度と同じであってもよく、異なっていてもよいが、断続部があることによって吸収性パッドが貫通条孔に沿って屈曲し難くなることを避けるためには、同じであることが好ましい。
【００１５】
このとき、縦軸の方向における断続部の長さ寸法は、縦軸の方向における貫通条孔全体としての長さ寸法の１０〜５０％であることが好ましい。断続部の長さ寸法が貫通条孔の長さ寸法の１０％より短いと、断続部があることによって吸収性パッドが屈曲する方向を制御するという効果を充分に得ることができず、また、吸収性パッドに吸収された体液が断続部を通じて幅方向へ伝わるという効果を充分に得ることもできない。断続部の長さ寸法が貫通条孔の長さ寸法の５０％より長いと、体液が、貫通条孔に流れ込み、吸収性パッドの第一面側ばかりでなく第二面側においても吸収されるという効果を充分に得ることができない。
断続部によって分断された貫通条孔の各部分は、形および大きさが同じであってもよく、互いに異なっていてもよい。貫条孔に流れ込んだ体液を吸収性繊維構造体のより遠い箇所へ伝わらせて吸収性パッド着用者が湿潤感を覚えることを防止するためには、分断された貫通条孔のいずれの部分についても、縦軸の方向における長さ寸法が２０ｍｍ以上であることより好ましい。
【００１６】
断続部における吸収性繊維構造体の厚さ寸法は、その他の部分における吸収性繊維構造体の厚さ寸法と同じであってもよく、異なっていてもよい。異なっている場合には、断続部における吸収性繊維構造体の厚さ寸法が、その他の部分における吸収性繊維構造体の厚さ寸法よりも小さいことが好ましく、その他の部分における吸収性繊維構造体の厚さ寸法の２０〜８０％の範囲内にあることがより好ましい。それによって、断続部を含んでいる貫通条孔が縦軸の方向に一連の屈曲のための案内となり、吸収性繊維構造体がそれに沿って屈曲し易くなる。断続部における吸収性繊維構造体の厚さ寸法が、その他の部分における吸収性繊維構造体の厚さ寸法の２０％より小さいと、断続部があることによって得られる効果、すなわち、吸収性パッドが屈曲する方向を制御するという効果や、吸収性パッドに吸収された体液が断続部を通じて幅方向へ伝わるという効果を充分に得ることができない。断続部における吸収性繊維構造体の厚さ寸法が、その他の部分における吸収性繊維構造体の厚さ寸法の８０％より大きいと、吸収性繊維構造体が貫通条孔に沿って屈曲し難くなり、着用者の身体に対する吸収性パッドのフィット性を充分に高めることができない。
断続部における吸収性繊維構造体の厚さ寸法が、その他の部分における吸収性繊維構造体の厚さ寸法よりも小さいとき、吸収性繊維構造体が、断続部において、第一面および第二面の両面から凹む条溝を含んでいてもよく、どちらか一方の面から凹む条溝を含んでいてもよい。着用者の身体に対する吸収性パッドのフィット性を高めるためには、吸収性パッドが幅全体で逆Ｕ字形に湾曲し易いように、吸収性繊維構造体が、第一および第二可撓軸としての貫通条孔に含まれる断続部においては第一面側から凹む条溝を含んでいて、第三可撓軸としての貫通条孔に含まれる断続部においては第二面側から凹む条溝を含んでいることが好ましい。
【００１７】
断続部は、１箇所でもよく、複数箇所にあってもよいが、貫通条孔が複数箇所に断続部を含んでいる場合には、各々の貫通条孔に含まれる断続部の縦軸の方向における長さ寸法の合計が、貫通条孔全体としての縦軸の方向における長さ寸法の１０〜５０％の範囲内であることが好ましく、２０〜４０％であることがより好ましい。
【００１８】
吸収性繊維構造体は、単層構造でも複層構造でもよいが、複層構造の場合は、上層および下層の二層構造が好適である。吸収性繊維構造体が上層および下層の二層構造であると、断続部における吸収性繊維構造体の厚さ寸法がその他の部分における吸収性繊維構造体の厚さ寸法よりも小さい吸収性繊維構造体を製造することが容易である。
【００１９】
第一面は、透液性を有していることが好ましく、透液性シートで形成されることがより好ましい。第二面は、疎水性を有していることが好ましく、撥水剤で処理するか、疎水性シートで形成されることがより好ましい。それによって、吸収性パッドは、第一面では体液を吸収し、第二面では吸収した体液が漏れ出ることを防止する。
【００２０】
吸収性パッドは、体液を吸収する吸収性繊維構造体のみからなるものでもよいが、第一面が透液性を有し、第二面が疎水性を有する吸収性パッドを容易に構成するためには、第一面に位置する透液性シートと、第二面に位置する疎水性シートと、両シート間に介在する吸液性コアとからなることが好ましい。
ここで、透液性シート，疎水性シートおよび吸液性コアの形成材料としては、通常公知の材料を特に制限なく用いることができる。
【発明の効果】
【００２１】
この発明に係る吸収性パッドは、第一および第二可撓軸が独占的に位置している前部域では、横方向からの圧力を受けたときに、不適切に捩れることなく第一および第二可撓軸に沿って容易に変形し、着用者の身体にフィットして体液漏れを防止することができると同時に、後部域では、密着せずに着用者の身体を覆って、便などの固形排泄物を着用者の身体に押し付けることなく収容することができる。
【００２２】
この発明のその他の構成、材料などについては、実施の形態における記述がここに援用される。ただし、この発明は、実施の形態に限定されるものではない。
【発明を実施するための最良の形態】
【００２３】
図面を参照して、この発明の実施形態について説明すると、以下のとおりである。
【００２４】
（第一実施形態）
図１は、この発明の第一実施形態に係る吸収性パッドを表面の側からみた部分破断平面図である。図２は、図１の２−２線断面図である。図３は、着用された状態にある吸収性パッドを示した図２相当断面図である。
図１に示されているとおり、吸収性パッドは、吸収性繊維構造体２０からなる。吸収性繊維構造体２０は、縦軸２１と、それに直交する横軸２２と、体液を吸収する表面（第一面）２３と、その反対側の裏面（第二面）２４と、縦軸２１の方向に並ぶ前部域２５ａおよび後部域２５ｂとを有し、主に、表面２３を形成する透液性トップシート２３ａと、裏面２４を形成する疎水性バックシート２４ａと、両シート間に介在する吸液性コア２６とから構成される。
吸収性繊維構造体２０は、さらに、吸液性コア２６の横軸２２の方向の両側縁近傍で縦軸２１の方向に延びる一対のバリヤカフ２７を含む。バリヤカフ２７の縦軸２１方向の両端と横軸２２の方向の外側の近位縁とがトップシート２３ａに接合されている（図２参照）。バリヤカフ２７の横軸２２の方向の内側の遠位縁には、糸ゴムなどの弾性部材２８が取り付けられ、これによってバリヤカフ２７が起立性向を有する（図２参照）。
トップシート２３ａおよびバックシート２４ａは、吸液性コア２６の周縁から延出して互いに重なり合う部分で接合されている（図２参照）。
【００２５】
トップシート２３ａは、坪量が１５〜３５ｇ／ｍ２の公知の熱可塑性合成繊維不織布から形成されている。熱可塑性合成繊維としては、例えば、ポリオレフィン系，ポリエステル系，ポリアミド系などの合成樹脂から製造されているものが挙げられる。
バックシート２４ａは、坪量が１０〜１００ｇ／ｍ２の公知の液抵抗性熱可塑性プラスチックフィルムから形成されている。このフィルムの材料としては、例えばポリオレフィン系の合成樹脂が挙げられる。
【００２６】
吸液性コア２６は、フルッフパルプと、超吸水性ポリマー粒子と、場合によっては、熱可塑性合成繊維との混合物から形成されており、超吸水性ポリマー粒子の含有率は２０〜３０％である。成形のし易さなどの点から、吸液性コア２６の坪量は２００ｇ／ｍ２以上であることが好ましい。図示されていないが、吸液性コア２６は、型崩れ防止などの目的から、ティシュペーパなどの液拡散性シートで包括するとともに、適宜圧縮することで構成されていてもよい。吸収性繊維構造体２０を構成する吸液性コア２６は、縦軸２１の方向における長さ寸法Ｌが３５０〜７００ｍｍ、横軸２２の方向における幅寸法Ｗが１００〜４００ｍｍ、厚さ寸法Ｈが３〜２５ｍｍとなるように形成される。
【００２７】
バリヤカフ２７は、坪量が１０〜１００ｇ／ｍ２の公知の熱可塑性合成繊維複合不織布から形成されている。熱可塑性合成繊維としては、例えば、ポリオレフィン系，ポリエステル系，ポリアミド系などの合成樹脂から製造されているものが挙げられる。
【００２８】
吸収性パッドは、横軸２２の方向に互いに離間して縦軸２１の方向に延びる一対の貫通条孔（第一，第二可撓軸）３１，３２を備えている。一対の貫通条孔３１，３２は、前部域２５ａに独占的に位置している。すなわち、本実施形態に係る吸収性パッドにおいては、一対の貫通条孔３１，３２を含むおよそ縦半分が前部域２５ａであり、残りが後部域２５ｂである。
【００２９】
一対の貫通条孔３１，３２は、互いにほぼ並行であって、縦軸２１の方向に連続して直線的に延びている。一対の貫通条孔３１，３２どうしの離間寸法Ｐは、１００ｍｍ以下であることが好ましい。縦軸２１の方向における貫通条孔３１，３２の長さ寸法Ｌ１，Ｌ２は、どちらも縦軸２１の方向における吸液性コア２６の長さ寸法Ｌの１０〜６０％に相当する３５〜４２０ｍｍの範囲内にあることが好ましく、同寸法Ｌの２０〜４０％に相当する７０〜２８０ｍｍの範囲内にあることがより好ましい。横軸２２の方向における貫通条孔３１，３２の幅寸法Ｗ１，Ｗ２は、５〜３０ｍｍであることが好ましい。
図２に示されているように、貫通条孔３１，３２においては、吸収性繊維構造体２０が実質的に吸収性繊維を欠いている。
図２においては、トップシート２３ａおよびバックシート２４ａが、表面２３および裏面２４で平坦に延びて貫通条孔３１，３２を覆っているが、トップシート２３ａおよびバックシート２４ａは、吸液性コア２６の外形に沿って延びて貫通条孔３１，３２の内側で互いに重なり合い、接合されていてもよい。
【００３０】
本実施形態に係る吸収性パッドは、図３に示されているように、一対の貫通条孔に沿って屈曲し易く、横方向からの圧力を受けても、吸収性繊維構造体が不適切に捩れることを防止することができると同時に、貫通条孔を越えて吸収性繊維が偏在することをも防止することができる。
また、この吸収性パッドは、貫通条孔を備えている分、吸収性繊維構造体の表面積が大きく、体液吸収能が高い。
【００３１】
吸収性パッドは、従来公知の技術により製造することができる。貫通条孔は、吸液性コアの成形過程で、所定のパターンを形成している金型を用い、フルッフパルプが堆積しない部分を設けることにより形成することができるが、成形後の吸液性コアを型抜きすることによって形成してもよい。
【００３２】
吸収性パッドは、それ単独で使用されるよりむしろ使い捨てのおむつやおむつカバーあるいはその他の下着類とともに使用されるのが好適であり、着用者の身体に固定するための手段を必ずしも必要としない。
【００３３】
（第二実施形態）
図４は、この発明の第二実施形態に係る吸収性パッドの図１相当部分破断平面図である。図５は、図４の５−５線断面図である。図６は、第二実施形態に係る吸収性パッドの変形例を示す図４相当部分破断平面図である。
この第二実施形態に係る吸収性パッドにおいては、第一実施形態に係るそれと同じ主要な部材，部位にはそれぞれ同じ符号を付して、その説明を省略してある。
第二実施形態に係る吸収性パッドが第一実施形態に係るそれと異なる点は、一対の貫通条孔３１，３２が、縦軸２１の方向に断続的に延びていて、それぞれ、断続部４１ａ，４２ａを含んでいる点である。
【００３４】
貫通条孔３１，３２の長さ寸法Ｌ１，Ｌ２は、どちらも吸液性コア２６の長さ寸法Ｌの１０〜６０％に相当する３５〜４２０ｍｍの範囲内にあることが好ましく、同寸法Ｌの２０〜４０％に相当する７０〜２８０ｍｍの範囲内にあることがより好ましい。
断続部４１ａ，４２ａは、それぞれ、縦軸２１の方向において貫通条孔３１，３２のほぼ中央に位置している。断続部４１ａ，４２ａの縦軸２１の方向における長さ寸法Ｍ１ａ，Ｍ２ａはどちらも貫通条孔３１，３２の長さ寸法Ｌ１，Ｌ２の１０〜５０％に相当するおよそ４〜２１０ｍｍの範囲内にあることが好ましく、同寸法Ｌ１，Ｌ２の２０〜４０％に相当する７〜１６８ｍｍの範囲内にあることがより好ましい。図４に示されている吸収性パッドにおいては、断続部４１ａ，４２ａによって分断された貫通条孔３１，３２の各部分の長さ寸法が等しく、それぞれおよそ９〜１８９ｍｍの範囲内にあることが好ましく、２０〜１８９ｍｍの範囲内にあることがより好ましい。
断続部４１ａ，４２ａにおいて、吸液性コア２６の厚さ寸法Ｈ１ａ，Ｈ２ａはどちらもその他の部分における吸液性コア２６の厚さ寸法Ｈよりも小さく、同寸法Ｈの２０〜８０％に相当する０．６〜２０ｍｍの範囲内にあることが好ましい。吸液性コア２６は、断続部４１ａ，４２ａに表面２３側から凹む条溝を含んでいる（図５参照）。
【００３５】
貫通条孔３１，３２は、図６に示されているように、それぞれ２箇所に断続部４１ａ，４１ｂ，４２ａ，４２ｂを含んでいてもよい。貫通条孔３１に含まれる断続部４１ａ，４１ｂの長さ寸法Ｍ１ａ，Ｍ１ｂの合計および貫通条孔３２に含まれる断続部４２ａ，４２ｂの長さ寸法Ｍ２ａ，Ｍ２ｂの合計が、どちらも貫通条孔３１，３２の長さ寸法Ｌ１，Ｌ２の１０〜５０％に相当するおよそ４〜２１０ｍｍの範囲内にあることが好ましく、同寸法Ｌ１，Ｌ２の２０〜４０％に相当する７〜１６８ｍｍの範囲内にあることがより好ましい。図６に示されている吸収性パッドにおいては、断続部４１ａ，４１ｂ，４２ａ，４２ｂによって分断された貫通条孔３１，３２の各部分の長さ寸法が等しく、それぞれおよそ６〜１２６ｍｍの範囲内にあることが好ましく、２０〜１２６ｍｍの範囲内にあることがより好ましい。断続部４１ａ，４１ｂ，４２ａ，４２ｂにおける吸液性コア２６の厚さ寸法はいずれもその他の部分における吸液性コア２６の厚さ寸法Ｈの２０〜８０％に相当する０．６〜２０ｍｍの範囲内にあることが好ましい。
【００３６】
貫通条孔が、縦軸の方向に断続的に延びていて断続部を含んでおり、吸収性パッドの前部域に独占的に位置していることによって、吸収性パッドが、着用中に横方向からの圧力を受けたときに、貫通条孔に沿って屈曲して、着用者の身体にフィットし易くなるばかりでなく、体液が断続部を介して吸液性コア全体に伝わって、吸液性コアを有効に利用することができるという効果が得られる。貫通条孔が複数箇所に断続部を含んでいると、その効果が大きくなってより好ましい。さらに、吸液性コアが断続部に表面側から凹む条溝を含んでいることによって、貫通条孔が、縦軸の方向に一連の屈曲のための案内となり、吸収性パッドが、着用中に横方向からの圧力を受けたときに、幅全体で逆Ｕ字形に湾曲し易くなって、着用者の身体に対する吸収性パッドのフィット性がより高まる。
【００３７】
（第三実施形態）
図７は、この発明の第三実施形態に係る吸収性パッドの図１相当部分破断平面図である。図８は、図７の８−８線断面図であり、図９は、図７の９−９線断面図である。図１０は、着用された状態にある吸収性パッドを示した図９相当断面図である。
この第三実施形態に係る吸収性パッドにおいては、第一実施形態に係るそれと同じ主要な部材，部位にはそれぞれ同じ符号を付して、その説明を省略してある。
第三実施形態に係る吸収性パッドが第一実施形態に係るそれと異なる点は、さらなる第三の貫通条孔（第三可撓軸）３３が、一対の貫通条孔３１，３２の間において縦軸２１の方向に延びていて前部域２５ａに独占的に位置しており、貫通条孔３１，３２，３３が、それぞれ、断続部４１ａ，４２ａ，４３ａを含んでいる点である。
【００３８】
図８に示されているとおり、貫通条孔３１，３２は縦軸２１の方向にほぼ並行に延びており、貫通条孔３１，３２どうしの離間寸法Ｐは、１００ｍｍ以下であることが好ましい。貫通条孔３３は、縦軸２１の方向において貫通条孔３１，３２の両端よりも内側にあり、横軸２２の方向において貫通条孔３１，３２のほぼ中間に位置し、縦軸２１の方向に貫通条孔３１，３２とほぼ並行に延びている。
貫通条孔３１，３２の長さ寸法Ｌ１，Ｌ２はどちらも縦軸２１の方向における吸液性コア２６の長さ寸法Ｌの１０〜６０％に相当する３５〜４２０ｍｍの範囲内にあることが好ましく、同寸法Ｌの２０〜４０％に相当する７０〜２８０ｍｍの範囲内にあることがより好ましい。着用者身体に対する吸収性パッドのフィット性を高めるためには、貫通条孔３３の長さ寸法Ｌ３が、貫通条孔３１，３２の長さ寸法より小さく、吸液性コア２６の長さ寸法Ｌの１０〜３０％に相当する３５〜２１０ｍｍの範囲内にあることが好ましい。貫通条孔３１，３２，３３の横軸２２の方向における幅寸法Ｗ１，Ｗ２，Ｗ３は、いずれも５〜３０ｍｍであることが好ましい。
【００３９】
断続部４１ａ，４２ａ，４３ａは、それぞれ、縦軸２１の方向において貫通条孔３１，３２，３３のほぼ中央に位置している。断続部４１ａ，４２ａの長さ寸法Ｍ１ａ，Ｍ２ａはどちらも貫通条孔３１，３２の長さ寸法Ｌ１，Ｌ２の１０〜５０％に相当するおよそ４〜２１０ｍｍの範囲内にあることが好ましく、同寸法Ｌ１，Ｌ２の２０〜４０％に相当する７〜１６８ｍｍの範囲内にあることがより好ましい。断続部４３ａの長さ寸法Ｍ３ａは、それが含まれる貫通条孔３３の長さ寸法Ｌ３の１０〜５０％に相当するおよそ４〜１０５ｍｍの範囲内にあることが好ましい。図７に示されている吸収性パッドにおいては、断続部４１ａ，４２ａによって分断された貫通条孔３１，３２の各部分の長さ寸法が等しく、それぞれ、およそ９〜１８９ｍｍの範囲内にあることが好ましく、２０〜１８９ｍｍの範囲内にあることがより好ましい。また、断続部４３ａによって分断された貫通条孔３３の各部分どうしの長さ寸法が等しく、それぞれ、およそ９〜９５ｍｍの範囲内にあることが好ましく、２０〜９５ｍｍの範囲内にあることがより好ましい。図９に示されているとおり、断続部４１ａ，４２ａ，４３ａのいずれにおいても、吸収性繊維構造体２０を構成する吸液性コア２６の厚さ寸法Ｈ１ａ，Ｈ２ａ，Ｈ３ａは、その他の部分における吸液性コア２６の厚さ寸法よりも小さく、同寸法Ｈの２０〜８０％に相当する０．６〜２０ｍｍの範囲内にあることが好ましい。吸液性コア２６は、断続部４１ａ，４２ａに表面２３側から凹む条溝を含んでいるが、断続部４３ａには裏面２４側から凹む条溝を含んでいる。
【００４０】
吸収性パッドが、一対の貫通条孔に加えて、さらに、その一対の貫通条孔の間において縦軸の方向に延びて前部域に独占的に位置する第三の貫通条孔を備えていることによって、前部域における吸収性パッドの可撓性がより高くなり、吸収性パッドが着用者の身体によりよくフィットすることができる。
また、吸収性パッドが、上記一対の貫通条孔に含まれる断続部には表面側から凹む条溝を含み、上記第三の貫通条孔に含まれる断続部には裏面側から凹む条溝を含んでいることによって、図１０に示されているように、吸収性パッドが、横軸方向における断面がＭ字形になるように屈曲し易くなって、特に、女性着用者の複雑な体形に対してフィットし易くなる。
【００４１】
（第四実施形態）
図１１は、この発明の第四実施形態に係る吸収性パッドの図１相当部分破断平面図である。図１２は、図１１の１２−１２線断面図である。図１３は、図１１の１３−１３線断面図である。
この第四実施形態に係る吸収性パッドにおいては、第一実施形態に係る吸収性パッドと同じ主要な部材，部位にはそれぞれ同じ符号を付して、その説明を省略してある。
第四実施形態に係る吸収性パッドが第一実施形態に係るそれと異なる点は、以下のとおりである。
【００４２】
本実施形態に係る吸収性パッドにおいては、吸収性繊維構造体２０が、複層構造であって、上層コア２６ａおよび下層コア２６ｂの二層からなる吸液性コア２６を含んでおり（図１２，１３参照）、一対の貫通条孔３１，３２が、縦軸２１の方向に断続的に延びていて、それぞれ、断続部４１ａ，４２ａを含んでいる。吸液性コア２６は、断続部４１ａ，４２ａに表面２３側から凹む条溝を含んでいる（図１３参照）。
【００４３】
上層コア２６ａは、縦軸２１の方向におけるほぼ中央においてくびれた瓢箪様の外形形状を有し、下層コア２６ｂは、ほぼ矩形の外形形状を有する（図１１参照）。上層コア２６ａおよび下層コア２６ｂは、縦軸２１の方向における長さ寸法が等しく、どちらも３５０〜７００ｍｍとなるように形成されているが、厚さ寸法は異なっており、上層コア２６ａの厚み寸法Ｈａは１．２〜１０ｍｍであり、下層コア２６ｂの厚み寸法Ｈｂは１．８〜１５ｍｍである。
【００４４】
上層コア２６ａには、貫通条孔３１ａ，３２ａが形成されており、下層コア２６ｂには、貫通条孔３１ｂ，３２ｂが形成されている。上層コア２６ａと下層コア２６ｂとは、貫通条孔３１ａと貫通条孔３１ｂとの位置および貫通条孔３２ａと貫通条孔３２ｂとの位置がそれぞれほぼ一致するように積層されており、貫通条孔３１ａと貫通条孔３１ｂとで貫通条孔３１が構成され、貫通条孔３２ａと貫通条孔３２ｂとで貫通条孔３２が構成されている（図１２参照）。
【００４５】
貫通条孔３１と貫通条孔３２とはほぼ並行であって、互いの離間寸法Ｐは１００ｍｍ以下であることが好ましい。貫通条孔３１，３２の長さ寸法Ｌ１，Ｌ２は、吸液性コア２６の長さ寸法Ｌの１０〜６０％に相当する３５〜４２０ｍｍの範囲内にあることが好ましく、同寸法Ｌの２０〜４０％に相当する７０〜２８０ｍｍの範囲内にあることがより好ましい。貫通条孔３１，３２の幅寸法Ｗ１，Ｗ２はどちらも５〜３０ｍｍであることが好ましい。
【００４６】
断続部４１ａ，４２ａにおいて、上層コア２６ａは、その厚さ寸法がほぼゼロであるが、下層コア２６ｂは、その他の部分と変わらない厚さ寸法を有している。したがって、上層コア２６ａと下層コア２６ｂとが積層された吸液性コア２６は、断続部４１ａ，４２ａにおける厚さ寸法Ｈ１ａ，Ｈ２ａが、下層コア２６ｂの厚さ寸法Ｈｂに等しく、その他の部分における厚さ寸法Ｈよりも小さい。吸液性コア２６は、断続部４１ａ，４２ａに表面２３側から凹む条溝を含んでいる。
縦軸２１の方向における断続部４１ａ，４２ａの長さ寸法Ｍ１ａ，Ｍ２ａはどちらも貫通条孔３１，３２の長さ寸法Ｌ１，Ｌ２の１０〜５０％に相当するおよそ４〜２１０ｍｍの範囲内にあることが好ましく、同寸法Ｌ１，Ｌ２の２０〜４０％に相当する７〜１６８ｍｍの範囲内にあることがより好ましい。図１１に示されている吸収性パッドにおいては、断続部４１ａ，４２ａが、それぞれ、縦軸２１の方向における貫通条孔３１，３２の中央よりも後寄りに位置しており、断続部４１ａ，４２ａによって分断された貫通条孔の各部分のうち、前寄りに位置する部分の長さ寸法の方が後寄りに位置する部分の長さ寸法よりも大きい。前寄りに位置する部分の長さ寸法は、およそ７〜１５４ｍｍの範囲内にあることが好ましく、後寄りに位置する部分の長さ寸法がおよそ２〜３５ｍｍの範囲内にあることが好ましい。
【００４７】
図１２，１３に示されているように、表面シート２３と上層コア２６ａとの間には液吸収拡散シート４５が介在しており、下層コア２６ｂは液吸収拡散シート４５によって包まれている。このように、表面シート２３と上層コア２６ａとの間および上層コア２６ａと下層コア２６ｂとの間に液吸収拡散シート４５が介在していることによって、体液が液吸収拡散シート４５を伝って吸液性コア２６の隅々にまで拡散し、吸液性コア２６において体液の局所的な飽和を防止することができる。
液吸収拡散シート４５としては、ティシュペーパなどを使用することができ、１０〜４０ｇ／ｍ２以上の坪量を有するものであることが好ましい。
【００４８】
断続部以外の部分における吸液性コアの剛軟度については、ＪＩＳ  Ｐ８１２５に準拠したテーパー法により測定した値が１２ｍＮ・ｃｍ以上であることが好ましい。上記剛軟度が１２ｍＮ・ｃｍより小さいと、吸液性コアが横方向からの圧力を受けて屈曲し変形した状態を維持することが難しく、吸収性パッドが着用者の身体にフィットし難くなる。一方、断続部における吸液性コアの剛軟度については、同上のテーパー法により測定した値が１０ｍＮ・ｃｍ以下であることが吸収性パッドを貫通条孔に沿って屈曲し易くするうえで好ましい。
【００４９】
吸液性コアが、縦軸の方向におけるほぼ中央においてくびれた瓢箪様の外形形状を有していることによって、そのくびれた中央部分が着用者の股間の最も幅狭の部分に当たり易くなる。その結果、吸収性パッドの屈曲の位置が着用者の股間の位置と一致し易くなる。
吸収性繊維構造体が、複層構造であって、上層コアおよび下層コアの二層からなる吸液性コアを含んでいると、貫通条孔の断続部における厚さ寸法がその他の部分の厚さ寸法よりも小さくて、断続部に表面側から凹む条溝を含むという構成を備えた吸収性パッドの製造が容易になる。
【図面の簡単な説明】
【００５０】
【図１】この発明の第一実施形態に係る吸収性パッドを示す部分破断平面図である。
【図２】図１の２−２線断面図である。
【図３】着用された状態にある吸収性パッドの図２相当断面図である。
【図４】この発明の第二実施形態に係る吸収性パッドを示す図１相当部分破断平面図である。
【図５】図４の５−５線断面図である。
【図６】第二実施形態に係る吸収性パッドの変形例を示す図４相当部分破断平面図である。
【図７】この発明の第三実施形態に係る吸収性パッドを示す図１相当部分破断平面図である。
【図８】図７の８−８線断面図である。
【図９】図７の９−９線断面図である。
【図１０】着用された状態にある吸収性パッドの図９相当断面図である。
【図１１】この発明の第四実施形態に係る吸収性パッドを示す図１相当部分破断平面図である。
【図１２】図１１の１２−１２線断面図である。
【図１３】図１１の１３−１３線断面図である。
【符号の説明】
【００５１】
２０                                    吸収性繊維構造体
２１                                    縦軸
２２                                    横軸
２３                                    表面（第一面）
２３ａ                                  トップシート（透液性シート）
２４                                    裏面（第二面）
２４ａ                                  バックシート（疎水性シート）
２５ａ                                  前部域
２５ｂ                                  後部域
２６                                    吸液性コア
３１，３１ａ，３１ｂ                    貫通条孔（第一可撓軸）
３２，３２ａ，３２ｂ                    貫通条孔（第二可撓軸）
３３                                    貫通条孔（第三可撓軸）
４１ａ，４１ｂ，４２ａ，４２ｂ，４３ａ  断続部
【図１】
2006149571.tif 000003
【図２】
2006149571.tif 000004
【図３】
2006149571.tif 000005
【図４】
2006149571.tif 000006
【図５】
2006149571.tif 000007
【図６】
2006149571.tif 000008
【図７】
2006149571.tif 000009
【図８】
2006149571.tif 000010
【図９】
2006149571.tif 000011
【図１０】
2006149571.tif 000012
【図１１】
2006149571.tif 000013
【図１２】
2006149571.tif 000014
【図１３】
2006149571.tif 000015